(57)【要約】【課題】強固な接合を維持するとともに、柔らかい肌触りを実現することができるサイドシール部を有するパンツ型吸収性物品を提供する。【解決手段】パンツ型吸収性物品は、外装体の少なくとも一部が、伸縮性フィルムと第１の不織ウェブとが積層された伸縮シートで形成されており、上記外装体は、上記腹側領域の側端部と上記背側領域の側端部とが対向して配置されるとともに接合された複数の接合部を備えるサイドシール部を有しており、上記複数の接合部は、上記パンツ型吸収性物品の長手方向に沿って列状に配置されており、上記第１の接合部は、短辺と前記短辺に隣接する長辺とが定義される矩形状の外形を有し、上記短辺の長さは、０．０５ｍｍ以上１．５ｍｍ以下であり、上記長辺の長さは、４．０ｍｍ以上１０．０ｍｍ以下であり、上記第１の接合部と上記第２の接合部との離間距離は、１．５ｍｍ以上５．０ｍｍ以下である。【選択図】図１
2016158799.tif 000002
【特許請求の範囲】
【請求項１】
吸収部材を含む内装体と、前記内装体が固着された表面を有し、着用時に着用者の腹部に配設される腹側領域と前記腹側領域に対向して配置される背側領域とが定義された外装体と、を備えるパンツ型吸収性物品であって、
前記外装体は、少なくとも前記腹側領域および前記背側領域が、伸縮性フィルムと第１の不織ウェブとが積層された伸縮シートで形成されており、
前記外装体は、前記腹側領域の側端部と前記背側領域の側端部とが対向して配置されるとともに接合された第１の接合部と、前記第１の接合部に隣接する第２の接合部と、を含む複数の接合部を備えるサイドシール部を有しており、
前記複数の接合部は、前記パンツ型吸収性物品の長手方向に沿って列状に配置されており、
前記第１の接合部は、短辺と前記短辺に隣接する長辺とが定義される矩形状の外形を有し、
前記短辺の長さは、０．０５ｍｍ以上１．５ｍｍ以下であり、前記長辺の長さは、４．０ｍｍ以上１０．０ｍｍ以下であり、前記第１の接合部と前記第２の接合部との離間距離は、１．５ｍｍ以上５．０ｍｍ以下であることを特徴とするパンツ型吸収性物品。
【請求項２】
前記短辺の長さは、０．１ｍｍ以上１．０ｍｍ以下であり、前記長辺の長さは、４．０ｍｍ以上８．０ｍｍ以下であり、前記第１の接合部と前記第２の接合部との離間距離は、２．０ｍｍ以上４．０ｍｍ以下であることを特徴とする請求項１に記載のパンツ型吸収性物品。
【請求項３】
前記短辺の長さは、０．１ｍｍ以上０．５ｍｍ以下であり、前記長辺の長さは、４．０ｍｍ以上６．０ｍｍ以下であり、前記第１の接合部と前記第２の接合部との離間距離は、２．５ｍｍ以上３．０ｍｍ以下であることを特徴とする請求項１に記載のパンツ型吸収性物品。
【請求項４】
前記第１の接合部は凹状に湾曲しており、
前記腹側領域の側端部と前記背側領域の側端部とは、前記腹側領域及び前記背側領域のいずれか一方の側に折り込まれていることを特徴とする請求項１から請求項３のいずれか一項に記載のパンツ型吸収性物品。
【発明の詳細な説明】
【技術分野】
【０００１】
本発明は、パンツ型吸収性物品に関する。
【背景技術】
【０００２】
従来、図５に示すように、腹側領域および背側領域の広範囲に亘って、複数枚の不織布間に糸ゴム１１０を配設した外装体の左右両端部をヒートシールや超音波シールによって接合し、サイドシール部を形成したパンツ型吸収性物品１００が知られている。パンツ型吸収性物品１００を構成する複数の部材をしっかり接合し、パンツ型吸収性物品１００の着用時に糸ゴムが抜け落ちることや、サイドシール部が破れることのないように、このサイドシール部は、面積が大きく設けられるとともに、シールの密度も高く配設されていた。そして、シール部が硬くなるために、外装体の左右両端部に近い位置をシールすると、肌触りが悪くなり、また製造時にサイドシール部の切断不良が起きやすくなるなどの問題が生ずることがあった。
【０００３】
例えば、このようなサイドシール部として、特許文献１には、吸収性物品の長手方向に沿って両側縁部を間欠的に超音波接合し、両側縁部を列状に超音波接合することで形成された複数の接合部の長手方向における長さをＴ１とし、長手方向において隣り合う接合部間の距離をＴ２としたとき、Ｔ１／（Ｔ１＋Ｔ２）の値が０．１以上０．３５以下となるように配置するものが開示されている。
【０００４】
しかしながら、パンツ型吸収性物品においてこれまで提案されているサイドシール部を適用しても、パンツ型吸収性物品１００の廃棄時に容易に剥離ができ、また、サイドシール部の強固な接合を維持するとともに、柔らかい肌触りを実現するには、十分な効果が得られていなかった。
【先行技術文献】
【特許文献】
【０００５】
【特許文献１】特開２０１３−１４６５４９号公報
【発明の概要】
【発明が解決しようとする課題】
【０００６】
従って、本発明の目的は、このような課題に鑑みてなされたものであり、その目的は、パンツ型吸収性物品の廃棄時に容易に剥離ができ、また、強固な接合を維持するとともに、柔らかい肌触りを実現することができるサイドシール部を有するパンツ型吸収性物品を提供することにある。
【課題を解決するための手段】
【０００７】
（１）本発明の一実施形態に係るパンツ型吸収性物品は、吸収部材を含む内装体と、上記内装体が固着された表面を有し、着用時に着用者の腹部に配設される腹部領域と上記腹部領域に対向して配置される背側領域とが定義された外装体と、を備えるパンツ型吸収性物品であって、上記外装体は、上記腹部領域および上記背側領域が、伸縮性フィルムと第１の不織ウェブとが積層された伸縮シートで形成されており、上記外装体は、上記腹部領域の側端部と上記背側領域の側端部とが対向して配置されるとともに接合された第１の接合部と、上記第１の接合部に隣接する第２の接合部と、を含む複数の接合部を備えるサイドシール部を有しており、上記複数の接合部は、上記パンツ型吸収性物品の長手方向に沿って列状に配置されており、上記第１の接合部は、短辺と上記短辺に隣接する長辺とが定義される矩形状の外形を有し、上記短辺の長さは、０．０５ｍｍ以上１．５ｍｍ以下であり、上記長辺の長さは、４．０ｍｍ以上１０．０ｍｍ以下であり、上記第１の接合部と上記第２の接合部との離間距離は、１．５ｍｍ以上５．０ｍｍ以下であることを特徴とする。
（２）本発明の他実施形態に係るパンツ型吸収性物品は、（１）記載のパンツ型吸収性物品であって、上記短辺の長さは、０．１ｍｍ以上１．０ｍｍ以下であり、上記長辺の長さは、４．０ｍｍ以上８．０ｍｍ以下であり、上記第１の接合部と上記第２の接合部との離間距離は、２．０ｍｍ以上４．０ｍｍ以下であることを特徴とする。
（３）  本発明の他実施形態に係るパンツ型吸収性物品は、（１）記載のパンツ型吸収性物品であって、上記短辺の長さは、０．１ｍｍ以上０．５ｍｍ以下であり、上記長辺の長さは、４．０ｍｍ以上６．０ｍｍ以下であり、上記第１の接合部と上記第２の接合部との離間距離は、２．５ｍｍ以上３．０ｍｍ以下であることを特徴とする。
（４）  本発明の他実施形態に係るパンツ型吸収性物品は、（１）から（３）のいずれかに記載のパンツ型吸収性物品であって、上記第１の接合部は凹状に湾曲しており、上記腹部領域の側端部と上記背側領域の側端部とは、上記腹部領域及び上記背側領域のいずれか一方の側に折り込まれていることを特徴とする。
【発明の効果】
【０００８】
本発明の一実施形態に係るパンツ型吸収性物品は、パンツ型吸収性物品の廃棄時に容易に剥離ができ、また、強固な接合を維持するとともに、柔らかい肌触りを実現することができるサイドシール部を得ることができる。
【図面の簡単な説明】
【０００９】
【図１】本発明の実施形態に係るパンツ型吸収性物品を示す概略図である。
【図２】図１の一点鎖線部で囲まれた矩形領域における部分拡大図である。
【図３】図２の一点鎖線部で囲まれた楕円領域における部分拡大図である。
【図４】本発明の実施形態に係るパンツ型吸収性物品の変形例を示すものであって、図１の一点鎖線部で囲まれた矩形領域における部分拡大図である。
【図５】（ａ）〜（ｃ）本発明の実施形態に係るパンツ型吸収性物品１の製造工程を説明する工程図である。
【図６】従来のパンツ型吸収性物品を示す概略図である。
【発明を実施するための形態】
【００１０】
図１ないし図３を参照して、本発明の実施形態に係るパンツ型吸収性物品およびその製造方法について詳細に説明する。なお、本実施形態の説明は、全体を通して同じ要素には同じ番号を付している。図１は、本実施形態に係るパンツ型吸収性物品１を示す概略図であり、図２は、図１の一点鎖線部で囲まれた矩形領域における部分拡大図であり、図３は、図２の一点鎖線部で囲まれた楕円領域における部分拡大図である。
【００１１】
本明細書の説明において、パンツ型吸収性物品１の長手方向は、パンツ型吸収性物品１が着用されたときに着用者の前後にわたる方向であり、パンツ型吸収性物品１の短手方向は、長手方向に対して横切り又は直交する方向を意味する。また、本明細書の説明において、体液とは、尿、血液や軟便中の水分などの体内から体外に排出された液体をいう。さらにまた、本明細書の説明において、パンツ型吸収性物品１の内側とは、その肌当接面側であって、図１中のＸ側をいい、パンツ型吸収性物品１の外側とは、その非肌当接面側をいい、図１中のＹ側をいう。そして、パンツ型吸収性物品１の着用時とは、パンツ型吸収性物品１の着用している間をいう。本実施形態のパンツ型吸収性物品１は、例えば、使い捨ておむつ、小児用トレーニングパンツ、失禁用物品、女性の生理用物品として用いることができる。また、不織ウェブとは、繊維を織らずに絡み合わせたシート状のものを意味する。
【００１２】
まず、本発明におけるパンツ型吸収性物品１の一実施形態について、図１から図３を用いて説明する。図１から図３に示すように、パンツ型吸収性物品１は、ウエスト開口部が定義された外装体１０と、肌当接面側において外装体１０の表面に固着された内装体２０とを備える。そして、外装体１０には、着用者の腹部に位置する腹側領域３１、着用者の背部に位置する背側領域３２、腹側領域３１と背側領域３２とを相互に結合する股部領域３３とが定義される。
【００１３】
（内装体）
本実施形態の内装体２０は、少なくとも吸収部材を備え、体液を吸収するために配置される。内装体２０は、肌当接面側に配置された液透過性のトップシートと、トップシートに対向して配置された非肌当接面側の液不透過性のバックシートと、トップシートとバックシートとの間に配置された吸収部材とを備える。これにより、吸収部材は、トップシートとバックシートとの間に挟まれた構造となっている。内装体２０は、少なくとも股部領域３３上において、外装体１０の内側に配置されており、ホットメルト等の接着剤、熱融着、あるいは超音波接着等により、外装体１０の表面に固着されている。内装体２０は、腹側領域３１から背側領域３２にかけて、設けられていてもよい。
【００１４】
本実施形態のトップシートの基材は、体液が吸収部材へと移動するように液透過性を備えていればよく、例えば、サーマルボンド不織ウェブ等の不織ウェブ、サーマルボンド／スパンボンドを積層した複合不織ウェブ、開口ポリエチレンフィルム等の開口性フィルム、ポリエチレンフォーム、ウレタンフォーム等の発泡フィルム、あるいは、これらを積層した複合シートといった材料から形成される。また、トップシートは、液透過性を向上させるために、表面にエンボス加工や穿孔加工を施すことが好ましい。その加工方法は、公知の方法を制限なく行うことができる。また、肌への刺激を低減させるために、トップシートに、ローション、酸化防止剤、抗炎症成分、ｐＨ調整剤、抗菌剤、保湿剤等を含有させることも好ましい。さらに、強度および加工性の点から、トップシートの坪量は、１４ｇ／ｍ２以上４０ｇ／ｍ２以下であることが好ましい。トップシートの形状としては、特に制限はないが、尿等の体液を吸収部材に誘導するため、吸収部材を覆う形状であればよい。
【００１５】
なお、トップシートの肌当接面側には、内装体２０の長手方向の両側縁部に沿って、体液の漏れを防止する立体ギャザーを設けることが好ましい。内装体２０の短手方向における立体ギャザーの外端部は、バックシートに固定され、同短手方向における立体ギャザーの内端部は、長手方向前後部においてトップシートに固着され、前後部間の中央部はトップシートに固定されない自由端となっており、内装体の長手方向に沿って糸ゴム等の立体ギャザー用弾性部材と不織ウェブ等のシートによって形成されることで、起立性を有し、使用者の体型に合わせて伸縮自在に変形可能になっている。
【００１６】
本実施形態のバックシートの基材は、吸収部材が保持している体液が漏れないような液不透過性を備えたものであればよく、不織ウェブ、樹脂フィルム、あるいはこれらを積層した複合シートといった材料から形成される。不織ウェブは、製法が特に限定されることはなく、例えば、スパンボンドやメルトブロー不織ウェブ、あるいは、スパンボンド／メルトブロー、スパンボンド／メルトブロー／スパンボンドを積層した複合不織ウェブ、及びこれらの複合材料が考えられる。また、樹脂フィルムとして、例えば、ポリエステル、ポリビニルアルコール、ポリエチレン、ポリプロピレン、ポリエチレンとポリプロピレンの複合フィルム等がある。また、装着時の蒸れを防止するために、バックシートは、透湿性を持たせることが好ましい。透湿性を備えさせるために、例えば、基材の樹脂フィルムにフィラーを配合することや、バックシートに穿孔のためのエンボス加工を施すことがあげられる。
【００１７】
本実施形態の吸収部材の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。フラッフパルプとして、例えば、木材パルプ及び合成繊維、ポリマー繊維等の非木材パルプを綿状に解繊したものがある。また、高吸水性樹脂としては、例えば、ポリアクリル酸ナトリウム系樹脂、親水性シートとしては、ティシュ、吸収紙、親水性不織ウェブがあげられる。
【００１８】
吸収部材は、上記の基材を用いて、単層あるいは複層のシート状で構成される。これらの中でも、木材パルプフラッフのような、フラッフパルプのウェブの親水性繊維マトリックスをＳＡＰ粒子と混合して形成したものが好ましい。また、ＳＡＰ粒子の漏洩防止や吸収部材の形状を安定させるために、吸収部材をティシュのような親水性シート（図示せず）に包むことが好ましい。さらに、吸収部材の表面にエンボス加工を施すと、体液の拡散をコントロールすると共に、使用者の体型に応じて吸収部材が容易に変形するので好ましい。
【００１９】
（外装体）
パンツ型吸収性物品１は、腹側領域３１と背側領域３２を重ね合わせて、腹側領域３１の側端部１１ａと背側領域３２の側端部１１ｂとを相互に固着することで、パンツ状に形成された外装体１０を有する。これにより、外装体１０には、ウエスト開口部Ｗが定義される。腹側領域３１及び背側領域３２は、少なくとも１枚の不織ウェブ１４と伸縮性フィルム１５とを積層し、伸縮可能とした伸縮シート１２で構成されている。伸縮シート１２は、不織ウェブ１４と伸縮性フィルム１５とが、それぞれ２枚以上の複数枚が積層したものであってもよい。不織ウェブ１４と伸縮性フィルム１５とは熱融着又は超音波接着などにより一体化されている。外装体１０のうち、少なくとも腹側領域３１及び背側領域３２を伸縮シート１２で構成することによって、パンツ型吸収性物品１に良好なフィット性を与えることができる。
【００２０】
好ましくは、伸縮シート１２は、少なくとも第１の不織ウェブ１４及び第２の不織ウェブ１６と、第１の不織ウェブ１４と第２の不織ウェブ１６との間に挟持された伸縮性フィルム１５と、が複合一体化された伸縮シート１２である。なお、この説明のために、図３では、これらを相互に若干離間させて記載している。そして、このような不織ウェブ１４／伸縮性フィルム１５／不織ウェブ１６の積層構造を有する伸縮シート１２は、各層が熱融着又は超音波接着などにより複合一体化されており、ホットメルトタイプ等の接着剤を使用せずに複合一体化されていることが好ましい。これによって、伸縮性フィルム１５を不織ウェブ１４、１６が覆い、糸ゴムおよび接着剤を低減することで、風合いを良好としたパンツ型吸収性物品を得ることができる。なお、伸縮性フィルム１５は、不織ウェブ１４、１６によって、その全面が覆われていてもよい。
【００２１】
図１に示すように、本実施形態のパンツ型吸収性物品１には、ウエスト開口部Ｗの周りに、ウエストバンド部１３が設けられている。ウエストバンド部１３には糸ゴムなどの弾性伸縮部材が配置され、固着されている。弾性伸縮部材は、伸縮シート１２に対して、接着剤などによって固定されていてもよい。
【００２２】
図１から図３に示すように、パンツ型吸収性物品１の側端部１１は、腹側領域３１の側端である側端部１１ａと背側領域３２の側端である側端部１１ｂとが、ヒートシールや超音波接着、圧搾加工により形成された複数の接合部１８を含むサイドシール部によって、相互に固着されている。すなわち、側端部１１ａおよび側端部１１ｂに位置する伸縮シート１２が重ねあわされて、ヒートシール加工、超音波加工、圧搾（エンボス加工）することによって接合される。なお、側端部１１は、着用者からパンツ型吸収性物品１を除去しやすいように、破断可能に形成されていてもよい。複数の接合部１８は、第１の接合部１８ａと第１の接合部１８ａに隣接する第２の接合部１８ｂとを含み、複数の接合部１８は、パンツ型吸収性物品１の長手方向に沿って列状に配置されている。そして、第１の接合部１８ａは、短辺Ａと短辺Ａに隣接する長辺Ｂとが定義される矩形状の外形を有し、短辺Ａの長さＬ１は、０．０５ｍｍ以上１．５ｍｍ以下であり、長辺Ｂの長さＬ２は、４．０ｍｍ以上１０．０ｍｍ以下であり、第１の接合部１８ａと第２の接合部１８ｂとの離間距離Ｄは、１．５ｍｍ以上５．０ｍｍ以下となるように設ける。これによって、パンツ型吸収性物品１は、パンツ型吸収性物品１の廃棄時に容易にサイドシール部を剥離ができ、また、強固な接合を維持するとともに、柔らかい肌触りを実現することができるサイドシール部を得ることができる。また、パンツ型吸収性物品１の第１の接合部１８ａは、好ましくは、短辺Ａの長さＬ１は、０．１ｍｍ以上１．０ｍｍ以下であり、長辺Ｂの長さＬ２は、４．０ｍｍ以上８．０ｍｍ以下であり、第１の接合部１８ａと第２の接合部１８ｂとの離間距離は、２．０ｍｍ以上４．０ｍｍ以下であり、さらに好ましくは、短辺Ａの長さＬ１は、０．１ｍｍ以上０．５ｍｍ以下であり、長辺Ｂの長さＬ２は、４．０ｍｍ以上６．０ｍｍ以下であり、第１の接合部１８ａと第２の接合部１８ｂとの離間距離は、２．５ｍｍ以上３．０ｍｍ以下である。これらの短辺の長さ、長辺の長さおよび離間距離は、複数の接合部１８の全てにおいて、該数値範囲に収まることが好ましい。第１の接合部１８ａの短辺Ａの長さは、第１の接合部１８ａの短辺Ａの最大長をいい、第１の接合部１８ａの長辺Ｂの長さは、第１の接合部１８ａの長辺Ｂの最大長をいい、第１の接合部１８ａと第２の接合部１８ｂとの間の離間距離Ｄは、第１の接合部１８ａと第２の接合部１８ｂの間の非接合部の距離をいう。なお、第１の接合部１８ａの短辺Ａの長さＬ１は、複数の接合部１８の短辺の長さの平均値であり、第１の接合部１８ａの長辺Ｂの長さＬ２は、複数の接合部１８の長辺Ｂの長さの平均値であり、および、第１の接合部１８ａと第２の接合部１８ｂとの離間距離Ｄは、隣り合った接合部１８間距離の平均値をとるものとする。
【００２３】
股部領域３３に位置する外装体１０は、腹側領域３１及び背側領域３２に位置する部分と同様に伸縮シート１２で構成してもよいし、不織ウェブなどの非伸縮性シートを用いて構成してもよい。
【００２４】
本実施形態の伸縮シート１２を構成する不織ウェブ１４としては、製法は特に限定されず、例えば、スパンボンドやメルトブロー不織ウェブ、あるいは、スパンボンド／メルトブロー、スパンボンド／メルトブロー／スパンボンドを積層した複合不織ウェブ、及びこれらの複合材料が例示される。また、伸縮性フィルム１５は、伸縮性を備えたものであればよく、例えば、ポリエステル系エラストマー、ポリオレフィン系エラストマー、ポリウレタン系樹脂、ポリアミド系樹脂等から形成されたフィルムがあげられる。なかでも、コスト及び伸縮性能の観点から、ポリウレタン系樹脂フィルムが好ましい。
【００２５】
弾性伸縮部材は、弾性伸縮部材を伸張した状態で伸縮シート１２に固着することで、外装体１０を含むパンツ型吸収性物品１を着用者のウエストに対して引っ張って保持するように構成されたものである。弾性伸縮部材は、糸状、ストリップ状、ウエストベルト状などの如何なる形状でもよいが、細長形状を有し、パンツ型吸収性物品の長手方向よりも短手方向に略沿って細長く配置され、パンツ型吸収性物品の伸縮特性を制御するものである。弾性伸縮部材としては、例えば、単数または複数の糸ゴム、不織ウェブに糸ゴムが固着されたウエストベルト、エラストマーフィルム、弾性発泡材、エラストマー布などの任意の弾性収縮材料を用いることができる。
【００２６】
伸縮シート１２は、非伸縮状態において、２０ｃｍ３／ｃｍ２・秒以上のＪＩＳ  Ｌ  １０９６−Ａ（フラジール法）：１９９０に基づいて測定される通気度を有する。通気度が２０ｃｍ３／ｃｍ２・秒未満であると、着用時に蒸れ易くなる。通気度は、伸縮シート１２を構成する不織ウェブ１４の繊維や糸の太さ、織り密度、単位面積当たりの重さや、伸縮シート１２に設けられた開口部の開口面積率等により、自由に変えることができる。
【００２７】
また、伸縮シート１２は、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有する。ここで、伸縮方向に１５０％伸長したとは、非伸縮状態の自然長に対する、伸長後の長さの割合である。すなわち、非伸縮状態の自然長Ｌａが１０ｃｍの伸縮シート１２を伸長方向に伸長した長さＬｂを１５ｃｍとした場合、１５／１０×１００＝１５０％伸長したとなる。通気度が５０ｃｍ３／ｃｍ２・秒未満であると、伸長された状態で使用する部位、例えば、おしり周りの部位に対して、着用時に蒸れ易くなる。
【００２８】
伸縮シート１２は、パンツ型吸収性物品１の長手方向および短手方向の二軸方向の両方において伸縮特性を有するものであることが好ましい。そして、伸縮シート１２は、パンツ型吸収性物品１の短手方向の伸縮性は、パンツ型吸収性物品１の長手方向の伸縮性よりも大きいことが好ましい。
【００２９】
パンツ型吸収性物品１には、腹側領域３１から股部領域３３を経て背側領域３２に渡って、左右一対のレッグギャザーを設けることもできる。レッグギャザーは、例えば、糸ゴムなどの弾性部材と不織ウェブ等のシートによって形成される。レッグギャザーを設けることにより、股下周りの部位におけるフィット感が向上する。
【００３０】
伸縮性フィルム１５には複数の開口部が形成されていてもよい。これらの複数の開口部は、パンツ型吸収性物品１の外装体１０における通気性を向上し、かつ、伸縮性フィルム１５の開口による耐久性の低下を緩和するために、平面視において千鳥状に配置されていてもよい。また、これらの複数の開口部の形状は特に限定されず、例えば、長方形、楕円形、ひし形等であってもよい。
【００３１】
次に、本実施形態のパンツ型吸収性物品１を製造する方法の一例を説明する。まず、図５に示すように、本発明の実施形態に係るパンツ型吸収性物品１に使用される伸縮シート１２を形成する。ここでは、伸縮シート１２の連続体を長手方向に搬送しながら、形成する方法について説明する。まず、図５（ａ）に示すように、第１工程として、伸縮性フィルム１５となる連続体を回転ローラ５１から給送し、伸縮性フィルム１５となる連続体に所定の張力をかけて上下に伸張する。所定の張力とは、伸縮性フィルム１５を２００％以上、より好ましくは２５０±３０％伸張した状態をいう。そして、第２工程では、回転ローラ５２ａから供給された不織ウェブ１４となる連続体及び回転ローラ５２ｂから供給された不織ウェブ１６となる連続体を、伸張した状態の伸縮性フィルム１５となる連続体の上下に積層する。次に、第３工程では、積層された伸縮性フィルム１５と不織ウェブ１４と不織ウェブ１６となる連続体を伸縮方向と直行する縦方向に実質的に連続したシール線を、伸縮方向に対して０．５ｍｍ以上２．０ｍｍ以下の間隔で全領域にわたって熱融着又は超音波接着することによって形成し、伸縮性フィルム１５と不織ウェブ１４と不織ウェブ１６となる連続体を固着することで、伸縮シート１２を形成する。具体的に、図５（ｂ）に示すように、積層された伸縮性フィルム１５と不織ウェブ１４と不織ウェブ１６とを接合ローラ５３と他方の接合ローラ５４で狭圧し、接合ローラ５３の先端の端部５５と、他方の接合ローラ５４の側面５６との接点を熱融着又は超音波接着によって、シール線を形成する。このように、シール線を所定の間隔に形成し、不織ウェブ１４と伸縮性フィルム１５と不織ウェブ１６とを一体化することによって、伸縮シート１２の表面のシワが緩和され、滑らかな肌触りとすることができる。
【００３２】
伸縮シート１２は、腹側領域３１の少なくとも非肌当接面側において、６００μｍ以上、１２００μｍ以下の算術平均粗さＲａと、６０μｍ以上、２５０μｍ以下の粗さ曲線の最大断面高さＲｔと、６００μｍ以上、８５００μｍ以下の粗さ曲線要素の平均長さＲＳｍと、を有することが好ましい。また、伸縮シート１２は、伸縮方向に１５０％伸長したときに、４００μｍ以上、１０００μｍ以下の算術平均粗さＲａと、５０μｍ以上、２００μｍ以下の粗さ曲線の最大断面高さＲｔと、を有することが好ましい。算術平均粗さＲａは、ＪＩＳ  Ｂ  ０６０１（２００１）に準拠されるものであり、上記範囲にすることにより、平坦になりすぎず、表面が滑らかで、意匠性が良好となる。また、粗さ曲線の最大断面高さＲｔは、ＪＩＳ  Ｂ  ０６０１（２００１）に準拠されるものであり、上記範囲にすることにより、適度な摩擦力を有する表面となる。さらに、粗さ曲線要素の平均長さＲＳｍは、ＪＩＳ  Ｂ  ０６０１（２００１）に準拠されるものであり、上記範囲にすることにより、高級感のある触感を得ることができる。よって、パンツ型吸収性物品１の表面は、下着により近い外観を得ることができる。また、伸縮方向に１５０％伸長したときに、算術平均粗さＲａと粗さ曲線の最大断面高さＲｔを上記範囲とすることで、パンツ型吸収性物品１を脱着する際に、指触りの良さを与えることができる。算術平均粗さＲａ、粗さ曲線の最大断面高さＲｔ及び粗さ曲線要素の平均長さＲＳｍは、例えば、（株）ＫＥＹＥＮＣＥ社製のワンショット３Ｄ測定マクロスコープ（商品名：ＶＲ−３１００）を用いて測定することができる。
【００３３】
伸縮シート１２は、伸縮方向に１２０％伸長したときに、０．８Ｎ／５０ｍｍ以上２．０Ｎ／５０ｍｍ以下の伸長荷重を有し、かつ、伸縮方向に１５０％伸長したときに、２．０Ｎ／５０ｍｍ以上３．５Ｎ／５０ｍｍ以下の伸長荷重を有することが好ましい。なお、着用者の体型によって、伸長率が変化するため、１２０％及び１５０％の伸張荷重を規定した。このようにすることで、体型によってフィット感の差異が生じない。また、伸縮シート１２は、伸縮方向と交差する方向に３．０Ｎ／５０ｍｍの荷重を施したときに、３０％以下の伸び率を有することが好ましい。このようにすることで、配設方向以外の方向には伸張しないため、パンツ型吸収性物品１の着脱がし易くなる。また、伸縮シート１２は、２００％以上２７０％以下の伸縮方向の伸び率を有する。このため、従来と比較して２００％以上の伸張が可能となったため、着用者にとって、はき易く、かつ脱ぎ易いパンツ型吸収性物品１が提供できる。ここで、伸縮方向の伸び率とは、伸縮方向に１２０％伸長したときと同様、非伸縮状態の自然長Ｌａに対する、伸縮方向に伸長後の長さＬｂの割合である。伸長荷重は、例えば、島津製作所製のオートグラフを用いて測定することができる。
【００３４】
また、伸縮シート１２は、伸縮方向に２１０％以上２８０％以下の破断伸度を有することが好ましい。ここで、破断伸度とは、非伸縮状態の自然長にある伸縮シート１２の元の長さをＬａとし、伸長したときの長さをＬｂとしたとき、特定の方向（伸縮方向）に伸縮シート１２を伸長して破断させたときの伸長率（Ｌｂ／Ｌａ×１００）をいう。この範囲に破断伸度を有することにより、着脱の際にパンツを大きく広げても突っ張ったり破れたりしにくくなるという効果が生じる。破断伸度は、例えば、島津製作所製のオートグラフを用いて測定することができる。
【００３５】
次に、伸縮シート１２を展開したパンツ型に切断する工程と、伸縮シート１２の肌当接面側に内装体２０を固着する工程と、伸縮シート１２にウエストバンド部１３を施す工程と、を順不同で経る。その後、この伸縮シート１２を２つ折りにし、外装体１０の腹側領域３１と背側領域３２となる部分を対向させて、腹側領域３１の側端部１１ａと背側領域３２の側端部１１ｂとをエンボスロール及びアンビルロールを用いて圧搾することで複数の接合部１８を形成し、吸収性物品の側端部１１を形成する。なお、圧搾時には、加熱または超音波の少なくとも一方を加えてもよい。
【００３６】
なお、図４は、本実施形態に係るパンツ型吸収性物品１の変形例を示すものであって、図１の一点鎖線部で囲まれた矩形領域における部分拡大図である。この変形例では、パンツ型吸収性物品１の側端部１１、すなわち腹側領域３１の側端部１１ａと背側領域３２の側端部１１ｂとは、腹側領域３１または背側領域３２のいずれか一方の側に向かって折り込まれているものである。これは、パンツ型吸収性物品１の長手方向に複数の接合部１８が、パンツ型吸収性物品１の短手方向に凹状に湾曲することにより形成することができる。このような折り込みは、例えば、伸縮シート１２を重ねて接合部１８を形成する際に、腹側領域３１または背側領域３２のいずれか一方側から加熱を加えて加熱溶着することで、腹側領域３１または背側領域３２側の伸縮シート１２に、他方より大きな熱収縮を起こすことで凹状の湾曲を形成することができる。これによれば、折り込まれた部分によって、接合部１８が目立たなくなり、良好な外観を得ることができる。特に、側端部１１の縁部１９が腹側領域３１または背側領域３２のいずれか一方に当接するように、接合部１８を湾曲させることにより、目立ちやすい縁部１９も目立たなくなり、さらに良好な外観を得ることができる。これらにより、パンツ型吸収性物品１は、吸収性物品に特有のエンボス形状を目立ちにくくすることができ、すっきりとした外観を得ることができる。
【実施例】
【００３７】
次に、以下の実施例により、本発明の実施形態をさらに具体的に説明する。なお、本発明はその要旨を超えない限り、以下の実施例の記載に限定されるものではない。
【００３８】
パンツ型吸収性物品として、使い捨ておむつを用いた。内装体としては、トップシートとして３０ｇ／ｍ２のエアスルー不織布、バックシートとして３２ｇ／ｍ２の通気性ポリエチレンフィルムを使用し、トップシートとバックシートの間に、フラッフパルプ１２ｇ、ポリアクリル酸系樹脂からなる吸水性ポリマー１１ｇの混合物からなる吸収体を配置し、内装体の短辺側両側に長手方向に延びる９４０デシテックスのウレタン系糸ゴムを２００％に伸長したものをそれぞれ２本ずつ配置し、足回りギャザーとしたものを用いた。外装体としては、２層の２０ｇ／ｍ２ポリプロピレンスパンボンド不織布の間に開口率１４％で開口を設けた厚み２０μｍのウレタンフィルムを２５０％伸長状態で積層し、伸縮方向と直行する方向に線状に延びるパターンで全領域にわたって超音波接着することで伸縮性及び通気性を持つ積層体を形成し、伸縮シートとし、該伸縮シートをパンツ型に切断し、ウエスト周り端部に１７ｇ／ｍ２ポリプロピレンスパンボンドに１２４０デシテックスのウレタン系糸ゴムを２００％伸長したもの６本を配した複合体を配置して腰回りギャザーを形成し、内側に内装体を固着したものを用いた。そして、外装体の側端部を加熱圧搾することで複数の接合部からなるヒートシール部を形成した。この接合部の短辺長さ、長辺長さ、面積および隣接する接合部間の間隔を表１および表２のように変更したものを実施例１から実施例１０および比較例１から比較例６とした。
【００３９】
［評価方法］
実施例１〜１０および比較例１〜６のパンツ型吸収性物品の複数の接合部からなるサイドシール部の評価を「側端部のシール評価」とした。側端部のシール評価は、モニター２０名による着用試験を行って、サイドシール部に関する官能評価の平均値を表１および表２に示した。
（シール強度）
シール強度は、着用時に広げた際もサイドシール部が十分な強度を保つものを５、強度をやや保つものを４、どちらとも言えないものを３、着用時に強度に不安を覚えるものを２、着用時に破れるものを１として、５段階で評価する官能評価を行った。
（美粧性および触り心地）
実施例１〜１０および比較例１〜６のパンツ型吸収性物品の複数の接合部からなるサイドシール部の美粧性および触り心地を判定し、優れているものを５、やや優れているものを４、どちらとも言えないものを３、やや劣っているものを２、劣っているものを１として、５段階で評価する官能評価を行った。
（シール破りやすさ）
脱ぐ際に、片手で腹側領域３１のサイドシール部付近を、もう一方の手で背側領域３２のサイドシール部付近をそれぞれ持ち、サイドシール部を剥離する方向に力を加えた際に、破りやすいものを５、やや破りやすいものを４、どちらとも言えないものを３、やや破りにくいものを２、破りにくいものを１として、５段階で評価する官能評価を行った。
【００４０】
【表１】
2016158799.tif 000003
【表２】
2016158799.tif 000004
【００４１】
この結果、表１に示す実施例１から実施例１０に係るパンツ型吸収性物品は、比較例１から比較例６に係るパンツ型吸収性物品と比較した結果、第１の接合部の短辺Ａの長さＬ１は、０．０５ｍｍ以上１．５ｍｍ以下として、第１の接合部の長辺Ｂの長さＬ２は、４．０ｍｍ以上１０．０ｍｍ以下として、第１の接合部と第２の接合部との離間距離Ｄは、１．５ｍｍ以上５．０ｍｍ以下とすることで、パンツ型吸収性物品の廃棄時に容易にサイドシール部を剥離ができ、また、強固な接合を維持するとともに、柔らかい肌触りを実現することができるサイドシール部を得ることができることがわかった。すなわち、サイドシール部を構成する接合部の短辺Ａの長さＬ１および長辺Ｂの長さＬ２が、これ以上に長いと複数の接合部を備えるサイドシール部が固くなり、使用後にサイドシール部を破りにくくなり、これ以上に短いとシール強度が低下し、製造時などにサイドシール部の切断不良が起こりやすくなる。そして、シール間隔Ｄがこれよりも短いと、隣り合う接合部間の間隔Ｄが詰まることにより固くなり、接合部間の間隔Ｄがこれよりも長いと、シール強度が不足することがわかった。また、パンツ型吸収性物品１の第１の接合部１８ａは、好ましくは、短辺Ａの長さＬ１は、０．１ｍｍ以上１．０ｍｍ以下であり、長辺Ｂの長さＬ２は、４．０ｍｍ以上８．０ｍｍ以下であり、第１の接合部１８ａと第２の接合部１８ｂとの離間距離Ｄは、２．０ｍｍ以上４．０ｍｍ以下であり、さらに好ましくは、短辺Ａの長さＬ１は、０．１ｍｍ以上０．５ｍｍ以下であり、長辺Ｂの長さＬ２は、４．０ｍｍ以上６．０ｍｍ以下であり、第１の接合部１８ａと第２の接合部１８ｂとの離間距離Ｄは、２．５ｍｍ以上３．０ｍｍ以下であることがわかった。
【００４２】
以上、実施形態および実施例を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４３】
１      パンツ型吸収性物品
１０    外装体
１１    側端部
１２    伸縮シート
１３    ウエストバンド部
１４    第１の不織ウェブ
１５    伸縮性フィルム
１６    第２の不織ウェブ
１８    複数の接合部
１８ａ  第１の接合部
１８ｂ  第２の接合部
１９    縁部
２０    内装体
３１    腹側領域
３２    背側領域
３３    股部領域
Ａ      第１の接合部の短辺
Ｂ      第１の接合部の長辺
Ｘ      パンツ型吸収性物品の内側
Ｙ      パンツ型吸収性物品の外側
【図１】
2016158799.tif 000005
【図２】
2016158799.tif 000006
【図３】
2016158799.tif 000007
【図４】
2016158799.tif 000008
【図５】
2016158799.tif 000009
【図６】
2016158799.tif 000010